(57)【要約】      （修正有）【課題】本体袋を不使用時には折り畳んで内装袋に収納してコンパクトに携行できると共に、使用時には内装袋の収納物を外部の衝撃から保護することが可能な袋体を提供する。【解決手段】分別収納可能に構成した内装袋３を設けて本体袋２自体は折り畳み可能な素材によって構成した袋体であって、内装袋を構成する生地は緩衝機能を有するとともに柔軟性及び伸縮性を有する素材によって構成した。また、内装袋３は開閉手段５により開閉自在な収納口６を有して本体袋側面に形成した開口部４に設け、本体袋への収納物とは分別して収納可能にすると共に、内装袋を構成する生地をその収納口６から引き出して反転可能とし、折り畳んだ本体袋を収納できるようにした。【選択図】図１
0003197471.tif 000002
【実用新案登録請求の範囲】
【請求項１】
小物を分別収納可能に構成した内装袋を設け、本体袋自体は折り畳み可能な素材によって構成した袋体であって、
前記内装袋を構成する生地は、緩衝機能を有するとともに、柔軟性及び伸縮性を有する素材によって構成し、
前記内装袋は、開閉自在な収納口を有し、当該収納口を本体袋側面に形成した開口部に設け、本体袋への収納物とは分別して収納可能で、当該内装袋を構成する生地をその収納口から引き出して反転可能に構成しており、
前記内装袋の収納口は、収納物を収納可能状態と、反転して折り畳んだ本体袋を収納した状態のそれぞれにおいて開閉操作可能に構成したことを特徴とする袋体。
【請求項２】
内装袋を構成する生地は、ダンボールメッシュ生地、又はウレタンスポンジ素材を使用した生地により構成し、緩衝機能と柔軟性及び伸縮性を有するものにしたことを特徴とする請求項１に記載の袋体。
【請求項３】
内装袋の本体袋に対する取り付は、当該内装袋の収納口を構成する開閉手段とともに本体袋の生地に縫着する部分のみで行い、当該内装袋はその本体袋への取付部より内部では浮遊状態に構成したことを特徴とする請求項１及び２に記載の袋体。
【請求項４】
内装袋の収納口に設けた開閉手段は、両エレメントのテープ部が本体袋の対向する開口縁部に縫着されたスライド式のファスナーにより構成し、当該スライダーには収納物を収納可能な状態における外側と内側にそれぞれ配置された摘みを有する構成としたことを特徴とする請求項１から３に記載の袋体。
【請求項５】
内装袋には、当該内装袋に収納物を収納可能な状態における内側に配置された把手を有する構成したことを特徴とする請求項１から４に記載の袋体。
【考案の詳細な説明】
【技術分野】
【０００１】
本考案は、小物を分別収納可能な内装袋を設け、本体袋自体は折り畳み可能な素材によって構成した手提げバックやリュックサック等の袋体であって、特にその本体袋を折り畳んで内装袋に収納することができる袋体に関するものである。
【背景技術】
【０００２】
従来、手提げバックやリュックサックあるいはショルダーバック等の袋体において、その本体袋を折り畳み可能な生地で作成するとともに、本体袋には小物を分別収納可能な内装袋を設け、本体袋を不使用時には当該内装袋を反転させて折り畳んだ本体袋を収納してコンパクト化して携行できるようにしたものが種々提案されている。
【０００３】
たとえば、前面部及び後面部の左右両端部及び下端部を縫着し、上端に開口部を有するとともに前記開口部近傍に一対の提げ手を有する折畳みが可能な柔軟性シートからなる袋体で、本体前面部または後面部表面に、中央に開口を有し少なくとも折畳んだ状態の前記袋体本体を収納し得る容量をもった小袋体を縫着してなり、前記袋体本体不使用時には前記小袋体内を裏返して折畳んだ状態の前記袋体本体を該小袋体内に包み込むことにより前記袋体本体を該小袋体内に収納し得るようにした携帯袋（特許文献１）がある。
【０００４】
また、バッグ本体の内部に小型バッグを設けて、小型バッグ内にバッグ本体を小さく折り畳んで収納可能とする折り畳み自在バック（特許文献２）が提案されており、この例では、特に、バッグ本体の表側の汚れで小型バッグの内部が汚れないようにする点が配慮されている。この例の小型バッグは、第１の収納片と、該第１の収納片の結合部と結合して袋体を形成する第２の収納片と、第１の収納片の結合部に取り付けられた第１のエレメントと、第２の収納片の結合部に取り付けられた第２のエレメントと、第１と第２のエレメントを噛み合わせたり離したりするためのスライダーとを備えたものである。
【先行技術文献】
【特許文献】
【０００５】
【特許文献１】実用新案登録第３１４０１６９号
【特許文献２】実用新案登録第３１２７８８２号
【考案の概要】
【考案が解決しようとする課題】
【０００６】
上記のような先行技術においては、本体袋に設けた小袋や小型バックに、本体袋自体を折り畳んで収納することにより、コンパクト化して携帯できるようにすることを主目的としている。そのために、本体袋は、柔軟性を有して折り畳みできるという最低条件の他、できるだけ軽い素材、あるいは薄い素材で作ることが必要であった。これに合わせて、小袋側も折り畳まれた本体袋を収納する際に扱いやすい薄手の生地素材により作られているのが一般的であった。
【０００７】
このような、本体袋を不使用時には折り畳んで内装袋に収納し、コンパクト化して携行できるようにしたバックやリュックサック等を、外出時にコンパクト化することなく本体袋を使用する際には、次のような課題がある。例えば、内装袋にスマートホンやデジタルカメラ等の携帯電子機器を収納して使用する場合、この種の袋体は、前述したように、本体袋及び内装袋が共に薄手の生地素材であるため、本体袋に外部からの衝撃が加えられた場合、電子機器にもその衝撃が直接伝わり、当該電子機器を傷めたり、場合によっては破損したりする虞があるという問題があった。
【０００８】
この問題を解決するためには、本体袋自体、又は内装袋を、耐衝撃性のある素材により構成することが考えられるが、本体袋をそのような素材で構成すると折り畳んで内装袋に収納することは内装袋を大きくする等の対策を講じないと困難である。また、内装袋を同様な素材で構成した場合、前述した先行文献のように、小袋や小型バックを本体袋に直接縫着した構造としたものでは、反転させて収納させる際に同様に処理しにくいという課題も有している。
【課題を解決するための手段】
【０００９】
この課題を解決するために本考案袋体は、小物を分別収納可能に構成した内装袋を設けて本体袋自体は折り畳み可能な素材によって構成した袋体であって、前記内装袋を構成する生地は緩衝機能を有するとともに柔軟性及び伸縮性を有する素材によって構成し、前記内装袋は開閉自在な収納口を有して当該収納口を本体袋側面に形成した開口部に設け、本体袋への収納物とは分別して収納可能で、当該内装袋を構成する生地をその収納口から引き出して反転可能に構成しており、前記内装袋の収納口は収納物を収納可能状態と反転して折り畳んだ本体袋を収納した状態のそれぞれにおいて開閉操作可能に構成したものである。
【００１０】
また、上記構成において内装袋を構成する生地は、ダンボールメッシュ生地、又はウレタンスポンジ素材を使用した生地により構成し、緩衝機能と柔軟性及び伸縮性を有するものにしたものである。
【００１１】
また、上記構成において内装袋の本体袋に対する取り付は、当該内装袋の収納口を構成する開閉手段とともに本体袋の生地に縫着する部分のみで行い、当該内装袋はその本体袋への取付部より内部では浮遊状態に構成したものである。
【００１２】
また、上記構成において内装袋の収納口に設けた開閉手段は、両エレメントのテープ部が本体袋の対向する開口縁部に縫着されたスライド式のファスナーにより構成し、当該スライダーには収納物を収納可能な状態における外側と内側にそれぞれ配置された摘みを有する構成としたものである。
【００１３】
また、上記構成において内装袋には、当該内装袋に収納物を収納可能な状態における内側に配置された把手を有する構成としたものである。
【考案の効果】
【００１４】
このように、本考案では、外出時にコンパクト化することなく本体袋を使用するに際しては、内装袋の生地を緩衝機能を有する素材によって構成したので、緩衝機能により収納物を外部の衝撃から保護することができる構成であり、内装袋にスマートホンやデジタルカメラ等の携帯電子機器を収納している場合に、本体袋に外部からの衝撃が加えられたとしても、内装袋の緩衝機能により、電子機器にその衝撃が直接伝わることなく、当該電子機器を傷めたり破損させたりすることなく、保護することが可能である。
【００１５】
また、本考案では、本体袋を内装袋に収納してコンパクト化する際には、内装袋の生地を柔軟性及び伸縮性を有する素材によって構成するとともに、内装袋を本体袋側面に形成した開口部に設けた収納口から引き出す構成としたので、内装袋の生地を収納口を開いた状態で容易に引き出して反転させ、折り畳んだ本体袋を収納することができる。
【００１６】
また、本考案では、内装袋は、内装袋の収納口を構成する開閉手段とともに本体袋生地に縫着する部分のみで本体袋に取り付けて取付部より内部では浮遊状態に構成したので、内装袋を構成する生地を収納口から引き出して反転する際に、前記生地の柔軟性及び伸縮性と相俟って、容易に反転させることができる。
【００１７】
また、本考案では、開閉手段は、スライド式のファスナーにより構成し、当該スライダーには収納物を収納可能な状態における外側と内側にそれぞれ配置された摘みを有する構成としたので、収納物を収納可能状態及び折り畳んだ本体袋収納状態のそれぞれにおいて、外側に配置された各々の摘みを持って開閉操作を行うことができる。
【００１８】
更に、本考案では、内装袋に、収納物を収納可能な状態における内側に配置された把手を有する構成したので、内装袋を折り畳んで本体袋を収納したコンパクト状態において当該内装袋を提げて持つことができる。
【図面の簡単な説明】
【００１９】
【図１】手提げバックよりなる袋体の正面斜視図である。
【図２】同内装袋を有する部分の横断断面図である。
【図３】本体袋の開口部に逢着された内装袋の収納部の拡大断面図である。
【図４】内装袋の素材を示し、（ａ）図はダンボールメッシュ生地の断面図、（ｂ）図はウレタンスポンジ素材を使用した生地の断面図である。
【図５】（ａ）図は内装袋を引き出した状態の正面斜視図、（ｂ）図は本体袋を折り畳んだ状態の正面斜視図、（ｃ）図は本体袋を収納したコンパクト状態の内装袋反転状態の正面斜視図である。
【図６】内装袋にスマートホンを収納した袋体の正面斜視図である。
【図７】リュックサックよりなる袋体の正面斜視図である。
【図８】ショルダーバックよりなる袋体の正面斜視図である。
【考案を実施するための形態】
【００２０】
本考案袋体は、小物を分別収納可能に構成した内装袋を設けて本体袋自体は折り畳み可能な素材によって構成した袋体であって、前記内装袋を構成する生地は緩衝機能を有するとともに柔軟性及び伸縮性を有する素材によって構成し、前記内装袋は開閉自在な収納口を有して当該収納口を本体袋側面に形成した開口部に設け、本体袋への収納物とは分別して収納可能で、当該内装袋を構成する生地をその収納口から引き出して反転可能に構成し、前記内装袋の収納口は収納物を収納可能状態と反転して折り畳んだ本体袋を収納した状態のそれぞれにおいて開閉操作可能に構成したものである。内装袋にスマートホンやデジタルカメラ等の携帯電子機器を収納している場合に、本体袋に外部からの衝撃が加えられたとしても、内装袋の緩衝機能により、電子機器にその衝撃が直接伝わることなく、当該電子機器を傷めたり破損させたりすることなく、保護することが可能である。また、内装袋の生地を収納口を開いた状態で容易に引き出して反転させ、折り畳んだ本体袋を収納することができる。更に、内装袋はその収納口で本体袋生地に縫着する部分のみで本体袋に取り付けて内部では浮遊状態に構成したので、内装袋を収納口から引き出して反転する際に、前記生地の柔軟性及び伸縮性と相俟って、容易に反転させることができる。
【実施例１】
【００２１】
以下、本考案の実施例１について、図１から図４を用いて説明する。この実施例は、袋体として手提げバックに構成したものであり、図１はその袋体の正面斜視図、図２は同内装袋を有する部分の横断断面図、図３は本体袋の開口部に逢着された内装袋の収納部の拡大断面図、図４は内装袋の素材を示し（ａ）図はダンボールメッシュ生地の断面図、（ｂ）図はウレタンスポンジ素材を使用した生地の断面図である。
【００２２】
実施例１において、１は手提げバックであり、通常の収納物を収納可能な本体袋２により全体が構成されており、３はこの本体袋１に小物の収納物を分別収納可能に設けられた内装袋である。内装袋３は、本体袋２の一方の側面に形成されたスリット状の開口部４において、ファスナー５により構成された開閉手段により、当該内装袋３の収納口６を開閉自在に構成している。ここで、開閉手段としてのファスナー５は、図３に詳細に示すように、両エレメント５ａ，５ｂとそのテープ部７，８及びスライダー５ｃを有している。そして、テープ部７，８が、本体袋２の開口部４の対向する開口縁部において、内装袋３の収納口６の対向する収納口縁部と共に、縫着部９，１０により縫着されている。また、ファスナー５のスライダー５ｃには、本体袋２の開口部４及び内装袋３の収納口６の外側と内側に、摘み５ｄ，５ｅがそれぞれ配置構成されている。そして、１１は内装袋３を反転させて本体袋２を折り畳んで収納した際に当該コンパクト状態の内装袋３を手提げる把手であり、前記縫着時に縫着部１０に同時に逢着し、内装袋３の内側に配置されている。また、１２は本体袋２の提げ手であり、手提げバック１として使用する場合に当該本体袋２自体を提げて持つためのものである。
【００２３】
前記内装袋３は、その構成する生地を、緩衝機能を有するとともに柔軟性及び伸縮性を有する素材によって構成している。このことにより、第一には、緩衝機能を有する素材により構成することにより、本体袋２に外部からの衝撃が加えられたとしても、その内装袋３の緩衝機能により、内装袋３に収納したスマートホンやデジタルカメラ等の携帯電子機器にその衝撃が直接伝わることなく、当該電子機器を傷めたり破損させたりすることなく、保護することが可能である。また、第二には、前述の第一の目的のために緩衝機能を有するものとするために多少厚手になっても、柔軟性及び伸縮性を有する素材とすることにより、本体袋２を折り畳んで内装袋３に収納するべく内装袋３を収納口６から引き出して反転状態とする際に、狭い収納口６より引き出すことが容易にできる。
【００２４】
ここで、前記内装袋３の緩衝機能を有するとともに柔軟性及び伸縮性を有する素材の例について説明する。まず、図４の（ａ）図はダンボールメッシュ生地１３であり、ポリエステルやナイロン系の素材により、図示するように内部に波型に成型されたものを有して、全体として、緩衝性とともに柔軟性と伸縮性を有する素材である。また、（ｂ）図はウレタンスポンジ素材を使用した生地１４であり、同様に、全体として、緩衝性とともに柔軟性と伸縮性を有する素材である。
【００２５】
次に、図５に基づいて、以上のように構成した手提げバック１について、本体袋２の使用状態から、本体袋２を折り畳んで内装袋３に収納してコンパクト化する手順について説明する。まず、前述した図１に示すように内装袋３の収納口６をファスナー５で閉じた状態で、外側に位置するファスナー５の摘み５ｄにより、スライダー５ｃをスライドさせて収納口６を開き、内装袋３の生地を引き出して反転させる。その状態が図５の（ａ）図に示す状態であり、その反転させるには、開いた収納口６より内装袋３内部に手指を挿入して、当該内装袋３の生地を摘んで引き出すが、その際、前述したように、その生地は多少厚手ではあるものの柔軟性及び伸縮性を有しているため、容易に引き出せる。また、この（ａ）図の状態では、ファスナー５の摘み５ｅが外側に位置する状態となっている。
【００２６】
図５の（ａ）図の状態から、提げ手１２を含む本体袋２を適宜折り畳むことにより、（ｂ）図に示すように、内装袋３に収納可能な大きさの状態とする。ここで、内装袋３の大きさは、本体袋２を折り畳んだ状態で収納可能な大きさに構成されているものであり、その大きさの決定に際しては、本体袋２の生地に基づく折り畳み状態の容積はもちろん、内装袋３を構成する生地の厚みや柔軟性及び伸縮性を考慮して決定されている。
【００２７】
そして、図５の（ｂ）図の状態から、内装袋３に形成された収納口６に、本体袋２を押し込んで収納し、ファスナー５の摘み５ｅによりスライダー５ｃをスライドさせて収納口６を閉じた状態が（ｃ）図である。この状態は、反転された内装袋３に本体袋２が収納された状態であり、内装袋３の内側に配置されていた把手１１が内装袋３より突出状態となっており、コンパクト化された袋体としての内装袋３を提げて持つことができる。
【００２８】
図６は、以上説明したように構成した手提げバック１の内装袋３に、携帯電子機器としてスマートホン１５を収納した例を示すものである。この例では、前述したように、内装袋３を構成する生地を緩衝機能を有する素材によって構成したので、この手提げバック１を携行中に外部から何らかの衝撃があった場合でも、当該内装袋３が衝撃を吸収してスマートホン１５への伝達を緩和することができ、傷めたり破損させたりすることなく保護することが可能である。
【００２９】
以上説明したように、実施例１の手提げバック１は、折り畳み可能な素材によって構成した本体袋２に小物を分別収納可能に構成した内装袋３を設け、内装袋３を構成する生地は緩衝機能を有するとともに柔軟性及び伸縮性を有する素材によって構成し、また、内装袋３はファスナー５によって開閉自在な収納口６を有して、この収納口６を本体袋２の側面に形成した開口部４に一致させて構成している。この構成により、内装袋３には本体袋２への収納物とは分別して収納可能であり、また、内装袋３を構成する生地をその収納口から引き出して反転可能に構成し、内装袋３の収納口６に設けたファスナー５は、収納物を収納可能状態と反転して折り畳んだ本体袋２を収納した状態において、スライダー５ｃに設けた外側と内側の摘み５ｄ，５ｅにより、それぞれ開閉操作可能である。従って、この実施例では、所期の目的・課題を解決することができることとなる。
【実施例２】
【００３０】
次に、本考案の実施例２について、図７を用いて説明する。この実施例は、袋体としてリュックサック２１に本考案を構成したものである。この実施例においては、リュックサック２１を形成する本体袋２２に、実施例１と同様に内装袋２３を構成するが、この例の内装袋２３は、人が背負う際に人の背側と接する面に形成されたスリット状の開口部２４に、ファスナー５により構成されたな開閉手段により、当該内装袋２３の収納口を開閉自在に構成している。ここで、内装袋２３に対するファスナー５の取付構成は、実施例１と同様であるため説明を省略する。なお、このリュックサック２１の場合は、通常の肩掛けベルト２５と上端に設けた把手２６を備えている。
【００３１】
この実施例２のリュックサック２１の場合も、実施例１の手提げバック１の場合と同様に、ファスナー５により内装袋２３の収納口を開けて、内装袋２３を引き出し、肩掛けベルト２５や把手２６を含めて本体袋２２を折り畳んで、当該内装袋２３に収納することにより、コンパクト化することができる。このリュックサック２１の場合は、内装袋２３の収納口を人の背側と接する面に設けたので、背負って使用する場合は、収納物に対する衝撃の伝達を大きく軽減できる構成となっている。
【実施例３】
【００３２】
次に、本考案の実施例３について、図８を用いて説明する。この実施例は、袋体としてショルダーバック３１に本考案を構成したものである。この実施例においては、ショルダーバック３１を形成する本体袋３２に、実施例１と同様に内装袋３３を構成するが、この例の内装袋２３は、肩に掛けて使用する際に人の腰側と接する面に形成されたスリット状の開口部３４に、ファスナー５により構成されたな開閉手段により、当該内装袋３３の収納口を開閉自在に構成している。この例では、実施例１の手提げバック１の提げ手１２に代え、ショルダーベルト３５を構成しているが、内装袋３３に対するファスナー５の取付構成等は、実施例１と同様であるため説明を省略する。また、その作用効果についても、実施例１と同様である。
【産業上の利用可能性】
【００３３】
本考案は、以上の実施例で示した、手提げバック、リュックサック、ショルダーバックに限られることなく、カバンや袋物であっても、本体袋自体が折り畳み可能な素材で、その本体袋を折り畳んだ状態で収納可能な小袋を設けてコンパクト化して携行できるものであれば利用できる。
【符号の説明】
【００３４】
１    手提げバック
２，２２，３２  本体袋
３，２３，３３  内装袋
４，２４，３４  開口部
５    ファスナー
５ａ，５ｂ  エレメント
５ｃ  スライダー
５ｄ，５ｅ  摘み
６    収納口
７，８    ファスナーのテープ部
９，１０  逢着部
１１  把手
１２  提げ手
１３  ダンボールメッシュ生地
１４  ウレタンスポンジ素材を使用した生地
１５  スマートホン
２１  リュックサック
２５  肩掛けベルト
２６  把手
３１  ショルダーバック
３５  ショルダーベルト
【図１】
0003197471.tif 000003
【図２】
0003197471.tif 000004
【図３】
0003197471.tif 000005
【図４】
0003197471.tif 000006
【図５】
0003197471.tif 000007
【図６】
0003197471.tif 000008
【図７】
0003197471.tif 000009
【図８】
0003197471.tif 000010